(57)【特許請求の範囲】
【請求項１】
金型のキャビティに射出される溶融樹脂の計量を行うときに駆動される駆動源としての計量用電動サーボモータと、
該計量用電動サーボモータの駆動力が伝達される計量用駆動伝達ベルトと、
該計量用駆動伝達ベルトが掛け回された計量用従動プーリと、
前記溶融樹脂の計量を行うときに前記計量用従動プーリの回転に伴い回転される射出スクリューと、を備え、
前記計量用従動プーリに円弧溝を形成し、
前記計量用従動プーリに形成した円弧溝に対し挿入することができる突出しピンを進退可能に設け、
該突出しピンが前記計量用従動プーリの円弧溝に対し挿入されることで前記射出スクリューの回転動作を規制できるようにしたことを特徴とする射出成形機。
【発明の詳細な説明】
【技術分野】
【０００１】
本発明は、部品の交換作業性や保守点検作業性の向上を図った射出成形機に関する。
【背景技術】
【０００２】
従来から、ターンテーブルを回転させることにより、１つの上側金型に対して、ターンテーブルに取り付けた２つの下側金型の各々を型開閉可能な対向位置に移動させ、縦方向に型開閉を行う、いわゆる２ステーション方式の縦型射出成形機が用いられている。こうした上側金型と複数の下側金型とを型締めする縦型射出成形機においては、成形体を成形する型締め工程の間に、型締めされている下側金型の反対側に配置された下側金型にインサート成形用の金属製の部品を組み付け、その組み付け後にターンテーブルを所定位置に回転し、金属製の部品を組み付けた下側金型と上側金型とを型締めすることで、金属製のインサート部品と樹脂とを一体成形する製造方法が採られており、型閉された金型のキャビティに溶融樹脂を射出充填するに際しては、上側金型の上方に配設された射出ユニットが下降され、それに伴い射出ユニット先端（下端）に装着された射出ノズルが、上側金型にタッチされ、その状態にて金型のキャビティへ溶融樹脂の射出充填が、加熱筒内に設けられた射出スクリューの前進駆動により行われる。【０００３】
ところで、縦型射出成形機を含む公知の射出成形機においては、定期的な保守点検作業や交換作業のため、加熱筒内で回転可能に配設されたスクリューを取り外したり、加熱筒内に組み付けたりするといった着脱作業が行われる。こうしたスクリュー等の部品の着脱作業を容易に行えるようにするためには、部品を着脱し易い所定位置に配置したり、着脱対象の部品が回転などしないよう保持（回り止め等）を行なったりする必要があり、例えば、射出成形機において、スクリューの取り外し作業を行なう場合には、従来、スクリューの回転止めをするため、スクリューとスクリューを保持する部材との間にウエス等をつめるなどして、スクリューの回転を規制したうえで、着脱作業を行っていたという実情があった。【０００４】
また、加熱筒内で縦方向に昇降されるスクリューを備えた縦型射出成形機においては、その稼動を停止すると、スクリューの自重が作用し、当該スクリューが最下限まで降下してしまうため、スクリューの自重により当該スクリューが最下限まで降下した状態では、スクリューのほぼ全体が加熱筒で覆われてしまうことになるため、スクリューの取り外し作業の行い易い、ユーザの所望する適切な位置に当該スクリューを保持できるようにすることが望まれていた。前記従来技術に関連するものとして特許文献１には、縦型射出成形機が開示されており、当該特許文献１においては、固定盤に対し型開閉される可動盤を、電動モータを駆動源として型開閉方向に駆動するトグル式型締装置を備え、該トグル式型締装置を駆動するボールネジに取り付けられる従動側プーリの逆回転を、該従動側プーリの歯にストッパーの突起を噛み合せて阻止し、可動盤の落下移動を防止する技術が開示されている。【０００５】
また、特許文献２にはエレベータ非常ブレーキ装置において、エレベータの昇降とともに回転される鋼車の開口孔に係合部材を係合させることで、停止中のエレベータが異常により動き出そうとすることを阻止する技術が開示されている。
【先行技術文献】
【特許文献】
【０００６】
【特許文献１】特開２００８−１０５１８５号公報
【特許文献２】特開２０１０−１８９０８８号公報
【発明の概要】
【発明が解決しようとする課題】
【０００７】
特許文献１に開示されている縦型射出成形機においては、タイミングベルトが切断された時に、可動盤の落下を阻止し安全を図ろうという技術であり、可動盤が動かぬよう保持することが可能ではあるが、ユーザが所望する位置で可動盤等の部品を保持できるようにして、部品の交換作業性や保守点検作業性の向上を図ろうという技術については開示されてはいない。【０００８】
また、特許文献２に開示されている技術は、停止中にある鋼車の開口孔に対し係合部材を挿入することで、鋼車を動かぬよう確実に阻止しようという技術であるが、鋼車の開口孔の径は係合部材の径よりも大きいため、鋼車を静止状態で保持させることは実質困難である。【０００９】
本発明は上記課題に鑑みてなされたものであり、射出スクリューを回転することがないよう保持できるようにすることで、当該部品の交換作業性や保守点検作業性の向上を図った射出成形機を提供することを目的とする。
【課題を解決するための手段】
【００１０】
本射出成形機の発明は、
金型のキャビティに射出される溶融樹脂の計量を行うときに駆動される駆動源としての計量用電動サーボモータと、
該計量用電動サーボモータの駆動力が伝達される計量用駆動伝達ベルトと、
該計量用駆動伝達ベルトが掛け回された計量用従動プーリと、
前記溶融樹脂の計量を行うときに前記計量用従動プーリの回転に伴い回転される射出スクリューと、を備え、
前記計量用従動プーリに円弧溝を形成し、
前記計量用従動プーリに形成した円弧溝に対し挿入することができる突出しピンを進退可能に設け、
該突出しピンが前記計量用従動プーリの円弧溝に対し挿入されることで前記射出スクリューの回転動作を規制できるようにしたことを特徴とする。
【発明の効果】
【００１１】
本射出成形機の発明によれば、突出しピンが計量用従動プーリの円弧溝に対し挿入されることで射出スクリューの回転動作を規制できるので、射出スクリューの交換作業や保守点検を容易に行うことができる。
【図面の簡単な説明】
【００１２】
【図１】縦型射出成形機に構成される射出ユニットを示す正面図であり、射出駆動部を上昇させた状態を示している。
【図２】縦型射出成形機に構成される射出ユニットを示す正面図であり、射出駆動部を下降させた状態を示している。
【図３】縦型射出成形機に構成される射出ユニットを示す側面図であり、射出駆動部を上昇させた状態を示している。
【図４】縦型射出成形機に構成される射出ユニットを示す平面図である。
【図５】縦型射出成形機に構成されるマグクランプ及び突出しピンを示す断面図である。
【図６】従動プーリ及び突出しピンを示す斜視図である。
【図７】変形例１の射出ユニットを示す平面図である。
【図８】変形例２の射出ユニットを示す平面図である。
【図９】変形例３の射出ユニットを示す平面図である。
【図１０】図３におけるＡ−Ａ線で切り欠いた状態を示す透視図である。
【図１１】射出ユニットの下方に設けられる型締ユニットを示す正面図である。
【図１２】射出ユニットの下方に設けられる型締ユニットを示す側面図である。
【図１３】射出ユニットの下方に設けられる型締ユニットを示す底面図である。
【発明を実施するための形態】
【００１３】
以下、本発明を実施するための実施形態の一例を図１〜図１３により以下に説明する。もちろん、本発明は、その発明の趣旨に反しない範囲で、実施形態において説明した以外の構成のものに対しても容易に適用可能なことは説明を要するまでもない。
【００１４】
本発明の一例の縦型射出成形機は大別すると、溶融樹脂を金型のキャビティへ射出充填する射出ユニット１、金型の型開閉を行う型締めユニット（図示せず）から構成されており、射出ユニット１には、成形体の材料となるペレットを加熱溶融する加熱筒２、この先端（下部）に着脱可能に螺合させた射出ノズル３が構成されている。
【００１５】
射出ユニット１の加熱筒２内には、射出ノズル３の先端側へ溶融樹脂を供給する射出スクリュー４が挿脱可能設けられており、溶融樹脂の計量時には、射出スクリュー４は、計量用電動サーボモータとしての第１の電動サーボモータ５を駆動源とし、第１の回転プーリ６、計量用従動プーリとしての第２の回転プーリ７、計量用駆動伝達ベルトとしての第１のタイミングベルト８を介して回転され、射出ノズル３の先端側へ溶融樹脂の供給が行われる。
【００１６】
また、計量された溶融樹脂を射出ノズル３の先端から射出するときには、第２の電動サーボモータ１０を駆動源とし、この駆動力が、第２の電動サーボモータ１０の回転軸に装着された主動プーリ１１、主動プーリ１１に掛け回された駆動伝達ベルトたる第２のタイミングベルト１２、第２のタイミングベルト１２が掛け回された従動プーリ１３，１３ａへと伝達され、従動プーリ１３，１３ａの回転運動を、駆動伝達部としてのボールネジ機構１４により直線運動に変換することで縦方向に昇降可能に設けられた射出駆動部１５を駆動し、射出駆動部１５に回転可能に固定された射出スクリュー４が射出駆動部１５と共に下降することで、射出ノズル３から溶融樹脂が射出される。
【００１７】
また、射出駆動部１５を構成する射出ユニット１の昇降は、射出ユニット昇降用電動サーボモータである第３の電動モータ１６を駆動源とし、この駆動力が、第３の電動モータ１６の回転軸に装着された昇降用主動プーリ１７、昇降用主動プーリに１７に掛け回された射出ユニット昇降用駆動伝達ベルトたる第３のタイミングベルト１８、第３のタイミングベルト１８が掛け回された射出ユニット昇降用従動プーリである昇降用従動プーリ１９へと伝達され、昇降用従動プーリ１９の回転運動を、加熱筒取付ブラケット２０に装着された射出ユニット昇降用駆動伝達部たるボールネジ機構２１により直線運動に変換することで、該運動による加熱筒取付ブラケット２０の昇降により射出ユニット１を昇降することができる。
【００１８】
また、図１１〜１３に示す型締ユニット４０は、射出ユニット１の下部に一体に装着されるものであり、これらの図に示すように、型締ユニット４０には、金型を縦方向に型開閉する際に駆動源として駆動される型締ユニット昇降用電動サーボモータ４１、この型締ユニット昇降用電動サーボモータ４１の駆動力が伝達される型締ユニット昇降用駆動伝達ベルト４２、この型締ユニット昇降用駆動伝達ベルト４２が掛け回された型締ユニット昇降用従動プーリ４３、この型締ユニット昇降用従動プーリ４３が回転駆動されるのに従い、縦方向に伸長・屈曲される、型締ユニット昇降用駆動伝達部たるトグルリンク機構４４、このトグルリンク機構４４の動作により昇降される、可動金型（図示せず）の装着される可動ダイプレート４５を備えている。
【００１９】
図３及び図４に示すように、射出駆動部１５には、第２のタイミングベルト１２が切断されたこと、又は第２の電動サーボモータ１０に対する通電がオフされ該第２の電動サーボモータ１０が停止されたことを検出する検出手段２２、弾性体たるスプリング２５を介在してこのスプリング２５の弾性力により突出される突出しピン２６、検出手段２２により第２のタイミングベルト１２が切断されたこと又は第２の電動サーボモータ１０が停止されたことが検出されたときに、コイル２７、磁性材料等からなる電磁石の磁力を用いて後退させた状態でクランプされた突出しピン２６をアンクランプするマグクランプ２４、マグクランプ２４の動作制御を行う制御手段２３等が構成されている。
【００２０】
ここで、円弧溝２８の形成された一方の従動プーリ１３について、図６によりさらに説明する。第２の電動サーボモータ１０を駆動源として駆動される従動プーリ１３には、該従動プーリ１３の円周方向に４箇所（複数）の円弧溝２８が形成されており、突き出された突出しピン２６は円弧溝２８に挿通されることで、従動プーリ１３の回転を規制する。
【００２１】
また、従動プーリ１３のほか、第２の回転プーリ７、昇降用従動プーリ１９、型締ユニット昇降用従動プーリ４３には、突出しピン２６が円弧溝２８に挿入されたとき、突出しピン２６の先端がスプリング２５の弾性力により押圧される傾斜部２９が形成されている。そして、縦型射出成形機が停止状態等にあるときには、突出しピン２６の傾斜部２９に対する押圧作用により各プーリ１３，７，１９，４３は回転しない静止状態で保持される。
【００２２】
また、図６では従動プーリ１３の回転方向を矢印で示しているのだが、円弧溝２８の傾斜部２９は、同図に示すように、突出しピン２６に対向するようにして形成されており、円弧溝２８の底面に形成された傾斜部２９は、従動プーリ１３の回転方向（矢印方向）とは逆方向に向かって溝深さが浅くなるよう形成されている。そして、第２のタイミングベルト１２が切断された、射出ユニット１の射出スクリュー４（射出駆動部１５）の駆動動作を直ちに停止させることが求められるようなときや、第２の電動サーボモータ１０への通電がオフされたときには、制御手段２３により円弧溝２８へ突出しピン２６が突出挿入され、従動プーリ１３が回転中であるときにおいて、突出しピン２６の先端は、従動プーリ１３の回転に伴い傾斜部２９に対し摺動され、その摺動抵抗により、従動プーリ１３の回転速度を速やかに減速させる。つまり、射出駆動部１５や該射出駆動部１５に設けられた射出スクリュー４を下降するために回転される従動プーリ１３を減速させることができ、その減速後に、円弧溝２８の端部の内壁面３０が突出しピン２６に衝突させることにより、従動プーリ１３を停止させることができる。よって、第２のタイミングベルト１２が切断されたときや、第２の電動サーボモータ１０が停止されるときには、従動プーリ１３は減速されてから停止させることができるから、これにより、従動プーリ１３の回転に伴い動作される射出駆動部１５や射出駆動部１５の射出スクリュー４が自重により下降しないよう確実に抑止することができ、しかも、突出しピン２６や射出駆動部１５を保持する部材に大きな衝撃が加わってしまうことをも防止することができる。
【００２３】
なお、本実施形態においては、図４に示すように、円弧溝２８が形成された円型の従動プーリ１３の接線方向となるようにして、突出しピン２６を保持する矩形型の保持プレート３１を配設し、この保持プレート３１の中心に突出しピン２６を配置し、ボルト３２により保持プレート３１の端部を射出駆動部１５に固定した構造を採用しているが、図７や図８に示すように保持プレート３１を、三角形型のものを採用したり、図９に示すように保持プレート３１の端部を複数のボルト３２で固定するようにしたり、或いは、図８に示すように、突出しピン２６を三角形型の保持プレート３１の一辺側に沿うようにして配置するなどして、従動プーリ１３の回転を突出しピン２６で阻止したとき、すなわち、射出スクリュー４の設けられた射出駆動部１５の自重落下を阻止するときに、保持プレート３１に加わる衝撃を緩和できるようにしてもよい。
【００２４】
また、上記射出駆動部１５と同様に、計量用従動プーリたる第２の回転プーリ７、射出ユニット昇降用従動プーリである昇降用従動プーリ１９、及び型締ユニット昇降用従動プーリ４３の円弧溝に対し、それぞれに対応して設けられた突出しピン２６が前進して挿通されることで、縦型射出成形機の稼動が停止状態等にあるときに、各プーリ７，１９，４３が回転しまわぬよう確実に抑止することができる。そして、従動プーリ１３、昇降用従動プーリ１９、及び型締ユニット昇降用従動プーリ４３の回転が阻止されることにより、これらのプーリ１３，１９，４３と連動して下降動作される、射出駆動部１５、射出スクリュー４、射出ユニット１、トグルリンク機構４４、金型の装着された可動ダイプレート４５が、縦型射出成形機の稼動の停止状態になるとき、これらの自重によって下降動作してしまうことを確実に防止することが可能となる。
【００２５】
なお、突出しピン２６は、図５に示すように、弾性体たるスプリング２５を介在してこのスプリング２５の弾性力により突出されるようになっており、検出手段２２により、タイミングベルト８，１２，１８，４２が切断されたこと、何れかのモータ５，１０，１６，４１が停止されたこと、或いは、縦型射出成形機の稼動が停止されたことが検出手段２２により検出されたとき、制御手段２３がマグクランプ２４の動作制御を行い、コイル２７、磁性材料等からなる電磁石の磁力を用いて後退させた状態でクランプされた突出しピン２６をアンクランプすることで、各突出しピン２６が前進され、当該突出しピン２６がそれぞれに対応するプーリ７，１３，１９，４３の円弧溝２８に挿通される。
【００２６】
次に、射出スクリュー４を交換する際の手順について説明する。まず、各ユニットを所定位置に移動させる。射出ユニット１は、後退限（上昇限）。射出駆動部１５は、上昇限。型締ユニット４０は、型開き限（上昇限）に移動させる。次に電源を停止すると、それに伴いモータ５，１０，１６，４１が停止されることから、突出しピン２６は各々に対応するプーリ７，１３，１９，４３の円弧溝２８に自動的に挿入される。その後、射出ノズル３を取り外してから、射出スクリュー４を射出駆動部１５から取り外す。そして、射出ノズル側より射出スクリュー４を下方に引き抜き取出す。そして、新たな射出スクリュー４を用意し、前述した手順の逆手順で作業を行うことで射出スクリュー４の交換が完了することになる。
【００２７】
以上のように本実施形態に係る縦型射出成形機によれば、射出ユニット１に構成された射出駆動部１５と射出駆動部１５の駆動源としての第２の電動サーボモータ１０と、第２の電動サーボモータ１０の駆動力が伝達される駆動伝達ベルトたる第２のタイミングベルト１２と、第２のタイミングベルト１２が掛け回された従動プーリ１３と、従動プーリ１３の回転に伴い射出スクリュー４が設けられた前記射出駆動部１５を縦方向に昇降させる駆動伝達部たるボールネジ機構１４と、前記射出ユニット１を昇降する際に駆動源として駆動される射出ユニット昇降用電動サーボモータたる第３の電動モータ１６と、第３の電動モータ１６の駆動力が伝達される射出ユニット昇降用駆動伝達ベルトたる第３のタイミングベルト１８と、第３のタイミングベルト１８が掛け回された昇降用従動プーリ１９と、昇降用従動プーリ１９の回転に伴い前記射出ユニット１を昇降させる射出ユニット昇降用駆動伝達部たるボールネジ機構２１と、前記金型を縦方向に型開閉する際に駆動源として駆動される型締ユニット昇降用電動サーボモータ４１と、型締ユニット昇降用電動サーボモータ４１の駆動力が伝達される型締ユニット昇降用駆動伝達ベルト４２と、型締ユニット昇降用駆動伝達ベルト４２が掛け回された型締ユニット昇降用従動プーリ４３と、型締ユニット昇降用従動プーリ４３の回転に伴い前記型締ユニット４０に構成された前記金型の装着される可動ダイプレート４５を昇降させる型締ユニット昇降用駆動伝達部たるトグルリンク機構４４とを備え、前記従動プーリ１３、前記射出ユニット昇降用従動プーリたる昇降用従動プーリ１９、及び前記型締ユニット昇降用従動プーリ４３のそれぞれに円弧溝２８を形成し、円弧溝２８のそれぞれに挿入される突出しピン２６を進退可能に設けたものである。これにより、縦型射出成形機の稼動が停止等されたときに、従動プーリ１３，１９，４３の円弧溝２８に対し突出しピン２６を突き出して挿入されることにより、射出駆動部１５や射出駆動部１５に設けられた射出スクリュー４が降下してしまうことを防止でき、昇降用従動プーリ１９の円弧溝２８に対し突出しピン２６を突き出して挿入させることにより、射出ユニット１が降下してしまうことを防止でき、型締ユニット昇降用従動プーリ４３の円弧溝２８に対し突出しピン２６を突き出して挿入させることにより、金型が装着される可動ダイプレート４５やトグルリンク機構４４が降下してしまうことを防止できる。すなわち、縦型射出成形機に昇降可能に設けられた特有の部材が自重により降下してしまうことを抑止することが可能となることから、ひいては安全性に優れた縦型射出成形機を得ることができる。
【００２８】
さらに、加熱筒２内で挿脱可能であって縦方向に昇降可能に設けられた射出スクリュー４は、射出成形機の稼動を停止した際、その自重により前進限まで降下しようとする力が働くものであり、後退限側に位置するときには、射出スクリュー４の一部が加熱筒２の外側に露出されるものであるのだが、射出駆動部１５に設けられた射出スクリュー４を最も後退（上昇）させた位置を後退限とし、最も前進（下降）させた位置を前進限とした場合、後退限から前進限までの間の位置にて、従動プーリ１３に形成した円弧溝２８に対し挿入することができる突出しピン２６を進退可能に設け、該突出しピン２６が従動プーリ１３の円弧溝２８に対し挿入されることで射出スクリュー４の進退動作を規制できるように構成していることから、これにより、前進限側ではない、所定位置において、突出しピン２６が従動プーリ１３の円弧溝２８に対し挿入されることで、射出スクリュー４を後退限側に配置した状態で射出スクリュー４の進退動作を規制できる。よって、射出スクリュー４の一部や、或いは全体を、加熱筒２の外側に露出した状態で配置（保持）することが可能となり、また、計量軸も回転不可とすることにより、加熱筒２内で挿脱される射出スクリュー４の交換作業や保守点検を容易に行うことが可能となる。
【００２９】
さらに、金型のキャビティに射出される溶融樹脂の計量を行うときに駆動される駆動源としての計量用電動サーボモータたる第１の電動サーボモータ５と、該第１の電動サーボモータ５の駆動力が伝達される計量用駆動伝達ベルトとしての第１のタイミングベルト８と、該第１のタイミングベルト８が掛け回された計量用従動プーリとしての第２の回転プーリ７とを備え、射出スクリュー４は、溶融樹脂の計量を行うときに前記第２の回転プーリ７の回転に伴い回転されるものであり、前記第２の回転プーリ７に円弧溝２８を形成し、前記第２の回転プーリ７に形成した円弧溝２８に対し挿入することができる突出しピン２６を進退可能に設け、該突出しピン２６が前記第２の回転プーリ７の円弧溝２８に対し挿入されることで射出スクリュー４の回転動作を規制できるようにしたものである。これにより、突出しピン２６が第２の回転プーリ７の円弧溝２８に対し挿入されることで射出スクリュー４の回転動作を規制できるので、射出スクリュー４の進退移動（射出スクリューの自重による降下）を規制するのに加え、射出スクリュー４が回転しないよう規制（回転止め）することができる。よって、射出スクリュー４の交換作業性や保守点検作業性の向上を図ることができる。
【符号の説明】
【００３０】
１  射出ユニット
２  加熱筒
４  射出スクリュー
５  第１の電動サーボモータ（計量用電動サーボモータ）
７  第２の回転プーリ（計量用従動プーリ）
８  第１のタイミングベルト（計量用駆動伝達ベルト）
１０  第２の電動サーボモータ（電動サーボモータ）
１２  第２のタイミングベルト（駆動伝達ベルト）
１３  従動プーリ
１４  駆動伝達部（ボールネジ機構）
１５  射出駆動部
２６  突出しピン
２８  円弧溝
【図１】
0005849105.tif 000002
【図２】
0005849105.tif 000003
【図３】
0005849105.tif 000004
【図４】
0005849105.tif 000005
【図５】
0005849105.tif 000006
【図６】
0005849105.tif 000007
【図７】
0005849105.tif 000008
【図８】
0005849105.tif 000009
【図９】
0005849105.tif 000010
【図１０】
0005849105.tif 000011
【図１１】
0005849105.tif 000012
【図１２】
0005849105.tif 000013
【図１３】
0005849105.tif 000014